(57)【要約】【課題】本明細書は、集磁コアを備えることなく細長平板状の金属板と磁電変換素子で構成される電流センサに関し、従来よりも感度を向上させる技術を提供する。【解決手段】電流センサ２は、磁電変換素子６と空芯コイル３と一対のリード部４、５を備えている。空芯コイル３は、細長平板状の金属板で作られており、金属板の幅広面が磁電変換素子６に対向しているとともに、磁電変換素子の感磁面法線Ｎに平行に磁電変換素子６を囲むようにＵ字に湾曲している。一対のリード部４、５は、細長平板状の金属板で作られており、空芯コイル３の両端であって空芯コイル３の金属板の幅広面の側端から夫々伸びている。【選択図】図１
2015184175.tif 000002
【特許請求の範囲】
【請求項１】
磁電変換素子と、
細長平板状の金属板で作られており、当該金属板の幅広面が前記磁電変換素子に対向しているとともに、当該磁電変換素子の感磁面の法線に平行に当該磁電変換素子を囲むようにＵ字に湾曲している空芯コイルと、
細長平板状の金属板で作られており、前記空芯コイルの両端であって空芯コイルの金属板の幅広面の側端から夫々伸びている一対のリード部と、
を備えていることを特徴とする電流センサ。
【請求項２】
前記リード部と前記空芯コイルとの連結箇所に、空芯コイルのＵ字の底の側からＵ字の先端方向に伸びるスリットが設けられていることを特徴とする請求項１に記載の電流センサ。
【請求項３】
夫々のリード部が、前記法線と平行に、相互に反対方向に伸びていることを特徴とする請求項１又は２に記載の電流センサ。
【請求項４】
夫々のリード部が、前記法線と直交する方向に、相互に反対方向に伸びていることを特徴とする請求項１又は２に記載の電流センサ。
【請求項５】
請求項３に記載された第１電流センサと請求項４に記載された第２電流センサを備えており、
全てのリード部が平行となるように第１電流センサと第２電流センサが並んでおり、
第１電流センサの空芯コイルと第２電流センサの空芯コイルがリード部の延設方向と直交する方向で並んでいるとともに、第１電流センサの磁電変換素子の感磁面の法線と、第２電流センサの磁電変換素子の感磁面の法線が直交していることを特徴とする電流センサセット。
【請求項６】
前記空芯コイルと前記リード部が一枚の金属平板で作られており、空芯コイルを平坦に展開したときの全体形状がクランク状であることを特徴とする請求項１から４のいずれか１項に記載の電流センサ。
【請求項７】
空芯コイルのＵ字の底から先端に向けてスリットが設けられており、当該スリットに絶縁体の板が挿入されており、その板に磁電変換素子が取り付けられていることを特徴とする請求項１から４のいずれか１項に記載の電流センサ。
【発明の詳細な説明】
【技術分野】
【０００１】
本発明は、電流センサに関する。
【０００２】
３相交流モータを電流フィードバック制御するシステムでは、３相の出力電流をモニタする電流センサを備える。モータの出力が大きい場合、３相交流出力の伝達にはバスバと呼ばれる細長い金属棒あるいは金属板が使われる。３相交流電力は、平行に伸びるバスバで伝達される。電流センサは少なくとも１本のバスバに備えられる。電流センサは、典型的には磁電変換素子であり、バスバを流れる電流に起因する磁界を検知する。検知した磁界の大きさでバスバを流れる電流の大きさが解る。
【０００３】
従来は計測対象のバスバをＣ字型の集磁コアで囲み、Ｃ字の切れ目に磁電変換素子を配置していた。近年、磁電変換素子の感度が向上し、集磁コアなしで磁電変換素子だけで電流を計測する電流センサが登場している。集磁コアを要しないため、小型で低コストである。しかし、集磁コアを備えないため、磁電変換素子は、計測対象以外のバスバを流れる電流に起因する磁界を検知してしまう。すなわち、Ｓ／Ｎ比が高くはない。
【０００４】
そこで、集磁コアを備えず、計測対象の電流を流す細長平板状の金属板（バスバ）と磁電変換素子で構成された電流センサの感度を高める技術が検討されている（特許文献１−３）。特許文献１の技術は次の通りである。計測対象の電流を通す細長平板状の金属板に、その幅広面の両側端から互い違いに３個のスリットを設ける。そうすると、両端のスリットの間で金属板にＵ字の空芯コイルが形成される。空芯コイルの内側に磁電変換素子を配置する。磁電変換素子は、感磁面の法線がスリットの貫通方向と一致するように配置される。電流が流れると、空芯コイルが発生する磁界は、空芯コイルの内側にて磁電変換素子を感磁面法線方向に貫通する。空芯コイルの内側には磁束が集中するので磁束計測感度、即ち電流検出感度が向上する。
【０００５】
特許文献２及び３の技術は次の通りである。計測対象の電流を通す細長平板状の金属板の一部をＵ字に屈曲させ、空芯コイルを形成する。空芯コイルの内側に磁電変換素子を配置する。磁電変換素子は、その感磁面の法線が空芯コイルの軸線方向と一致するように配置される。この電流センサは空芯コイルの軸線方向からみたときの形状が特許文献１の電流センサと同じであり、その作用効果も同じである。
【先行技術文献】
【特許文献】
【０００６】
【特許文献１】特開平５−２２３８４９号公報
【特許文献２】特開２００８−２４１６７８号公報
【特許文献３】特開２００８−２１６２３０号公報
【発明の概要】
【発明が解決しようとする課題】
【０００７】
説明の便宜上、特許文献１−３の電流センサにおいて空芯コイル以外の細長平板状の金属部分をリード部と称する。特許文献１の電流センサでは細長金属板に３個のスリットを設けて空芯コイルを形成する。空芯コイルの軸線方向の厚みは細長金属板の厚みと同じであり、空芯コイルが発生する磁界は強くはない。特許文献２と３の電流センサでは、リード部の幅広面の幅方向が磁電変換素子の感磁面の法線方向と一致する。このことは、リード部で発生する磁束が磁電変換素子の感磁面を貫いてしまうことを意味する。従って、その電流センサを平行な複数のバスバに適用すると、隣接するバスバが発生する磁界が磁電変換素子の感磁面を貫くことになり、Ｓ／Ｎ比に影響する。
【０００８】
本明細書も、集磁コアを備えることなく、細長平板状の金属板と磁電変換素子で構成される電流センサを提供する。本明細書が開示する技術は、そのような細長平板状の金属板と磁電変換素子で構成される電流センサの感度を向上させることを目的とする。
【課題を解決するための手段】
【０００９】
本明細書が開示する電流センサの一態様は、磁電変換素子と、空芯コイルと、一対のリード部を備える。空芯コイルは、細長平板状の金属板で作られており、その金属板の幅広面が磁電変換素子に対向しているとともに、磁電変換素子の感磁面の法線に平行に磁電変換素子を囲むようにＵ字に湾曲している。一対のリード部の夫々は、細長平板状の金属板で作られており、空芯コイルの両端であって空芯コイルを形成する金属板の幅広面の側端から夫々伸びている。
【００１０】
なお、特許文献１と２に開示された電流センサでは、リード部が空芯コイルを形成するＵ字の先端から伸びており、本明細書が開示する電流センサはＵ字の両端であって幅広面の側端から伸びている点で相違する。別言すれば、特許文献１と２に開示された電流センサでは、リード部の幅広面の幅方向が空芯コイルの軸線方向と一致しており、一方、本明細書が開示する電流センサでは、リード部の幅広面の幅方向が空芯コイルの軸線方向と直交する点で相違する。
【００１１】
上記の相違により、本明細書が開示する電流センサでは、リード部が発生する磁界が磁電変換素子の感磁面の法線とほぼ直角に磁電変換素子を貫通することになり、磁電変換素子の磁束計測値に影響を与え難い。空芯コイルが発する磁束だけが感磁面を垂直に貫通するので感度が高くなる。従って、平行なバスバに本明細書の技術を適用したときにＳ／Ｎ比を向上させることができる。なお、リード部と空芯コイルは、一つの金属板から作られていてもよく、別々の部品を後に接合するものであってもよい。
【００１２】
本明細書が開示する電流センサでは、リード部と空芯コイルとの連結箇所に、空芯コイルのＵ字の底の側からＵ字の先端方向に伸びるスリットを設けると、プリント基板を固定するのに都合がよい。
【００１３】
本明細書が開示する電流センサでは、リード部の延設方向と感磁面の法線方向（この方向は、空芯コイルの軸線方向と一致する）との関係が２通り考えられる。一つは、夫々のリード部が、感磁面の法線と平行に、相互に反対方向に伸びている形態である。もう一つは、夫々のリード部が、感磁面の法線と直交する方向に、相互に反対方向に伸びている形態である。いずれの形態であってもよい。
【００１４】
先に述べたように、本明細書が開示する電流センサは、平行に伸びる複数のバスバに適用するのに好適である。特に、リード部の延設方向と感磁面法線方向との関係が異なる２種類の電流センサを並べるとよい。すなわち、リード部が感磁面法線と平行な第１電流センサと、リード部が感磁面法線方向と直交する第２電流センサを次の態様で配置するとよい。全てのリード部が平行となるように第１電流センサと第２電流線を並べる。第１電流センサの空芯コイルと第２電流センサの空芯コイルを、リード部の延設方向と直交する方向で並ぶように配置する。そして、第１電流センサの磁電変換素子の感磁面法線と、第２電流センサの磁電変換素子の感磁面法線が直交するように各磁電変換素子を配置する。この電流センサセットは、２個の磁電変換素子の感磁面法線が直交するので、一方の感磁面を直交するように貫く磁束は、他方の感磁面と平行となる。即ち、一方の感磁面に影響する磁界が他方の感磁面に影響を与え難いので、２個の電流センサが相互に与える影響が小さくなる。すなわち、平行な２本のバスバの夫々の電流を高いＳ／Ｎ比で計測することが可能となる。
【００１５】
本明細書が開示する電流センサは、次の態様も好適である。空芯コイルとリード部が一枚の金属平板で作られており、空芯コイルを平坦に展開したときの全体形状がクランク状である。ここで、全体形状とは、前述したスリットは無視した形状を意味する。また、空芯コイルのＵ字の底から先端に向けてスリットが設けられており、スリットに絶縁体の板が挿入されており、その板に磁電変換素子が取り付けられているとよい。前者は、複数の電流センサを低コストで製造するのに好適である。後者は、磁電変換素子の支持が容易である。
【発明の効果】
【００１６】
本明細書が開示する技術によれば、集磁コアを要しない電流センサの感度を高めることができる。本明細書が開示する技術の詳細とさらなる改良は以下の「発明を実施するための形態」にて説明する。
【図面の簡単な説明】
【００１７】
【図１】第１実施例の電流センサの斜視図である。
【図２】第１実施例の電流センサを説明のために分解した斜視図である。
【図３】第１実施例の電流センサのリード部と空芯コイルの展開図である。
【図４】第２実施例の電流センサの斜視図である。
【図５】第３実施例の電流センサの斜視図である。
【図６】電流センサセット（第４実施例）の斜視図である。
【図７】磁電変換素子とリード部の好適な関係を説明する図である。
【図８】第５実施例の電流センサの斜視図である。
【発明を実施するための形態】
【００１８】
（第１実施例）図１、図２を参照して第１実施例の電流センサ２を説明する。図１は、電流センサ２の斜視図であり、図２は、説明の便宜上、電流センサ２を分解した斜視図である。電流センサ２は、磁電変換素子６と、細長平板状の金属板をＵ字に湾曲させた空芯コイル３と、その両端から伸びる一対のリード部４、５で構成される。なお、図２では、空芯コイル３とリード部４、５を理解し易いようにそれらを分離して描いてあるが、それらは一枚の金属板から作られている。即ち、リード部４（５）と空芯コイル３は連続している。また、図１に示す破線がリード部４、５と空芯コイル３の境界（説明上の境界）を表している。空芯コイル３の軸線方向は、図中のＸ軸と平行となる。
【００１９】
磁電変換素子６は、空芯コイル３の内側に配置される。図中の符号Ｎが示す矢印は、磁電変換素子６の感磁面７の法線を示している。即ち、磁電変換素子６は、空芯コイル３の内側で感磁面７の法線Ｎが空芯コイル３の軸線と平行となるように配置されている。別言すれば、空芯コイル３は、細長平板状の金属板で作られており、金属板の幅広面が磁電変換素子６に対向しているとともに、磁電変換素子６の感磁面７の法線Ｎに平行に磁電変換素子６を囲むようにＵ字に湾曲している。
【００２０】
図２に良く示されているように、一対のリード部４、５は、細長平板状の金属板で作られており、空芯コイル３の両端であって空芯コイルの金属板の幅広面の側端（図中の符号３ａと３ｂが示す箇所）から夫々伸びている。
【００２１】
リード部４、５と空芯コイル３は、計測対象の電流を通す導電体である。計測対象の電流は、矢印Ａ１が示すように一方のリード部４を空芯コイル３に向かって流れ、空芯コイル３では、矢印Ａ２が示すように、Ｕ字の一端から他端へ向かって湾曲して流れ、リード部５では、矢印Ａ３が示すように、空芯コイル３から遠ざかる。
【００２２】
図１の矢印Ａ２が良く示しているように、Ｕ字形の空芯コイル３を流れる電流は磁電変換素子６の感磁面７の法線Ｎを囲むように流れる。空芯コイル３を流れる電流が発生する磁束は、磁電変換素子６の位置に集中し、しかも感磁面７を垂直に貫通する。この構造により、磁電変換素子６は、磁束を高い感度で計測することができる。即ち、電流センサ２は、感度が高い。
【００２３】
また、リード部４、５を流れる電流が発生する磁束は、図１の矢印Ａ１とＡ３を囲むように発生する。リード部４、５は、その幅広面の幅方向（図中のＺ軸方向）が感磁面７の法線Ｎと直交するように位置しており、リード部４、５が発生する磁束は、磁電変換素子６の感磁面７と平行となる。それゆえ、リード部４、５が発生する磁束は磁電変換素子６の磁束の計測に影響を与えない。このことは、複数の電流センサ２を平行に並べたとき、一方の電流センサのリード部が発生する磁束が他方の電流センサの磁電変換素子に影響を与えないことを意味する。この利点は、三相交流モータ電力を供給する３本の平行なバスバに本実施例の電流センサを適用するのに好適である。
【００２４】
図３は、一体で作られているリード部４、５と空芯コイル３を平面に展開した図である。破線は空芯コイル３を形成する部位とリード部の説明上の境界を示している。空芯コイル３が細長平板状の金属板で作られることが良く表れている。また、図３に示すように、リード部４、５と空芯コイル３は展開すると、その全体形状はクランク状である。この形状は、一枚の広い金属板から複数の電流センサ（磁電変換素子を除く）を製造するのに好都合である。
【００２５】
（第２実施例）図４に、第２実施例の電流センサ１２の斜視図を示す。電流センサ１２も、磁電変換素子６、空芯コイル１３、及び、一対のリード部１４、１５で構成されている。空芯コイル１３は、第１実施例の空芯コイル３と同等である。即ち、空芯コイル１３は、細長平板状の金属板で作られており、その金属板の幅広面が磁電変換素子６に対向するとともに、磁電変換素子６の感磁面の法線Ｎに平行に磁電変換素子６を囲むようにＵ字に湾曲している。ただし、空芯コイル１３は後述するスリット８を有するので、Ｕ字の高さ（Ｕ字の底から先端までの長さであって図中のＺ軸方向の長さ）が第１実施例の空芯コイル３の高さよりも低くなっている。
【００２６】
一対のリード部１４、１５も第１実施例のものと同じである。一対のリード部１４、１５は、細長平板状の金属板で作られており、空芯コイル１３の両端であって空芯コイル１３の金属板の幅広面の側端から夫々伸びている。
【００２７】
第２実施例の電流センサ１２では、リード部１４（１５）と空芯コイル１３との連結箇所に、空芯コイル１３のＵ字の底の側（図中のＺ軸の正方向）からＵ字の先端方向（Ｚ軸の負方向）に伸びるスリット８が設けられている。このスリット８により、一方のリード部１４を流れてきた電流は、矢印Ａ４が示すように、空芯コイル１３のＵ字の一方の先端に集中し、そこからＵ字に沿って湾曲しつつ流れる（矢印Ａ２）。そして、矢印Ａ５が示すように、空芯コイルのＵ字の他方の先端まで流れた後、リード部１５へと流れる。第２実施例の電流センサ１２は、スリット８を設けることで、Ｕ字の空芯コイル３の端から端までＵ字形状に電流が流れるので、感磁面７を貫く磁束を高めることができる。その分、例えば第１実施例の電流センサ２と同等の感度を得るのにＵ字の高さを第１実施例の場合よりも低くすることができる。即ち、電流センサの体格を小さくすることができる。
【００２８】
（第３実施例）図５に、第３実施例の電流センサ２２の斜視図を示す。電流センサ２２も、磁電変換素子６、空芯コイル２３、及び、一対のリード部２４、２５で構成されている。空芯コイル２３は、第１実施例の空芯コイル３と同等である。即ち、空芯コイル２３は、細長平板状の金属板で作られており、その金属板の幅広面が磁電変換素子６に対向するとともに、磁電変換素子６の感磁面の法線Ｎに平行に磁電変換素子６を囲むようにＵ字に湾曲している。
【００２９】
一対のリード部２４、２５も第１実施例のものと同じである。一対のリード部２４、２５は、細長平板状の金属板で作られており、空芯コイル２３の両端であって空芯コイル２３の金属板の幅広面の側端から夫々伸びている。また、第２実施例の電流センサ１２と同様に、リード部２４（２５）と空芯コイル２３との連結箇所に、空芯コイル２３のＵ字の底の側（図中のＺ軸の正方向）からＵ字の先端方向（Ｚ軸の負方向）に伸びるスリット８が設けられている。それゆえ、Ｕ字の高さ（Ｕ字の底から先端までの長さ）が第１実施例の空芯コイル３の高さよりも低くなっている。
【００３０】
第２実施例の電流センサ１２と第３実施例の電流センサ２２は、空芯コイルの向き（即ち、磁電変換素子の向き）とリード部の延設方向の関係が相違する。第２実施例の電流センサ１２では、夫々のリード部１４、１５は、感磁面法線Ｎと平行に、相互に反対方向に伸びている。他方、第３実施例の電流センサ２２では、夫々のリード部２４、２５は、感磁面法線Ｎと直交する方向に、相互に反対方向に伸びている。第３実施例の電流センサは第２実施例の電流センサと同様の利点を有する。なお、第２実施例の電流センサ１２と第３実施例の電流センサ２２は、細長平板状の金属板で作られているリード部の幅広面の幅方向（図中のＺ軸方向）が感磁面法線Ｎと直交している点で共通する。
【００３１】
（第４実施例）図６は、２個の電流センサを平行に並べた電流センサセット３２の斜視図である。この電流センサセット３２は、第２実施例の電流センサ１２と第３実施例の電流センサ２２を組み合わせたものである。なお、図６は、図４及び図５と同様の斜視図であるが、Ｕ字の空芯コイルに対する視点が異なる点に留意されたい。即ち、図４と図５の空芯コイルはＵ字が下向きに描かれているが、図６の空芯コイルはＵ字が上向きに描かれている。
【００３２】
電流センサセット３２では、説明の便宜上、第２実施例の電流センサ１２を第１電流センサ１２と称し、第３実施例の電流センサを第２電流センサ２２と称する。図６によく示されているように、電流センサセット３２では、全てのリード部１４、１５、２４、２５が平行となるように第１電流センサ１２と第２電流センサ２２が並んでいる。そして、第１電流センサ１２の空芯コイル１３と第２電流センサ２２の空芯コイル２３がリード部の延設方向と直交する方向で並んでいる。別言すれば、空芯コイル１３と２３は、図中のＹＺ平面内で並んでいる。また、第１電流センサ１２の磁電変換素子６の感磁面法線Ｎ１と、第２電流センサ２２の磁電変換素子６の感磁面法線Ｎ２が直交する。
【００３３】
電流センサセット３２の上記配置は、第１電流センサ１２の磁電変換素子６の感磁面を貫く磁束は、第２電流センサ２２の磁電変換素子６の感磁面に平行となる。同様に、第２電流センサ２２の磁電変換素子６の感磁面を貫く磁束は、第１電流センサ１２の磁電変換素子６の感磁面に平行となる。また、いずれのリード部を流れる電流（矢印Ａ６、Ａ７）に起因して発生する磁束も、各磁電変換素子の感磁面に平行となる。それゆえ、各電流センサ１２、２２において、各磁電変換素子６は夫々の空芯コイルが発生する磁束だけを計測する。それゆえ、２個の電流センサが近接して並んでいても、高いＳ／Ｎ比を維持することができる。
【００３４】
次に、図７を参照して、一方の電流センサの磁電変換素子６と他方の電流センサのリード部の好適な関係について説明する。ここでは、第２電流センサ２２の磁電変換素子６と第１電流センサ１２のリード部１４（１５）の関係を説明する。図７は、第２電流センサ２２の磁電変換素子６と第１電流センサ１２のリード部１４（１５）の関係を説明するための平面図である。なお、第２電流センサ２２の空芯コイル２３とリード部２４、２５は図示を省略している。
【００３５】
図７は、図６の電流センサセット３２をＹＺ平面でみた図である。但し、図７において、第２電流センサ２２の磁電変換素子６が位置するＸ軸方向の位置と、図７に示されているリード部１４（１５）の断面のＸ軸方向の位置は異なることに留意されたい。
【００３６】
磁電変換素子６は、隣接する電流センサのリード部１４（１５）の幅広面に垂直な直線であって、その幅方向（図中のＺ軸方向）の中心を通る直線ＣＬの延長上に配置するのがよい。そのような配置によれば、図７に示すように、リード部１４（１５）を流れる電流に起因する磁束Ｐ１は、磁電変換素子６の感磁面７と平行となる（図中の矢印Ｐ２）。即ち、リード部１４（１５）で発生する磁束Ｐ１は感磁面７を貫かない。従って、第２電流センサ２２の磁電変換素子６は、隣接する第１電流センサ１２のリード部１４（１５）が発生する磁界の影響を受けない。仮に、磁電変換素子６が点Ｑに位置し、直線ＣＬからずれていたとする。この場合、リード部１４（１５）が発生する点Ｑにおける磁束は矢印Ｐ３の方向となり、磁電変換素子６を貫く成分が発生する。その成分は、第２電流センサ２２の磁電変換素子６にってノイズとなる。このように、電流センサ２２の磁電変換素子６は、隣接する電流センサのリード部の幅広面の中心線ＣＬを通る位置に配置することが望ましい。このことは、磁電変換素子６の近傍に他の金属線（例えば他のバスバ）が通過している場合でも同様である。
【００３７】
（第５実施例）図８に、第５実施例の電流センサ４２の斜視図を示す。電流センサ４２も、これまでの電流センサと同様に、空芯コイル４３と、磁電変換素子６と、一対のリード部４、５を備える。なお、図８では、空芯コイル４３から外した板４９（後述）を実線で描いており、空芯コイル４３のスリット４８に挿入された板４９を仮想線で描いてある。磁電変換素子６は、空芯コイル４３に組み付けられた状態では、図１の電流センサ２と同様に、Ｕ字の空芯コイル４３の内側に位置する。
【００３８】
空芯コイル４３は、細長平板状の金属板で作られている。空芯コイル４３は、その金属板の幅広面が磁電変換素子６（図８の仮想線で示された磁電変換素子６）に対向しているとともに、磁電変換素子６の感磁面の法線Ｎに平行に磁電変換素子を囲むようにＵ字に湾曲している。リード部４、５は、第１実施例の電流センサ２と同様に、細長平板状の金属板で作られており、空芯コイル４３の両端であって空芯コイル４３の金属板の幅広面の側端から夫々伸びている。空芯コイル４３には、そのＵ字の底から先端に向けて伸びるスリット４８が設けられている。そして、そのスリット４８に絶縁体の板４９が挿入されており、その板４９に磁電変換素子６が取り付けられている。板４９は、磁電変換素子６に電圧を加えるとともに、磁電変換素子６の電気信号を受けるチップを実装したセンサ基板であってもよい。絶縁体の板４９は、磁電変換素子６を支持するのに好適である。
【００３９】
実施例で説明した技術に関する留意点を述べる。空芯コイルは、Ｕ字状に湾曲しているが、ほぼＣ字状であってもよい。また、リード部は、空芯コイルの両端であって空芯コイルの金属板の幅広面の側端から夫々伸びている。このことを別言すると、リード部は、空芯コイルの両端であってコイル軸線方向の側端に接続している、ということである。
【００４０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４１】
２、４２：電流センサ
１２：電流センサ（第１電流センサ）
２２：電流センサ（第２電流センサ）
３２：電流センサセット
３、１３、２３、４３：空芯コイル
４、５、１４、１５、２４、２５：リード部
６：磁電変換素子
７：感磁面
８、４８：スリット
４９：板
【図１】
2015184175.tif 000003
【図２】
2015184175.tif 000004
【図３】
2015184175.tif 000005
【図４】
2015184175.tif 000006
【図５】
2015184175.tif 000007
【図６】
2015184175.tif 000008
【図７】
2015184175.tif 000009
【図８】
2015184175.tif 000010